(57)【要約】  【課題】  小型構造であるにも拘らず、局内側および局外側双方から導入された光ファイバケーブルより引き出された光ファイバコードの配線作業・管理を容易に行えるようなキャビネットを提供する。  【解決手段】  局内側および局外側双方からケース内に引き込まれる光ファイバケーブルを配線接続するキャビネットにおいて、光ファイバケーブル２０と配線接続する右側光ファイバ接続収容ユニット１３および左側光ファイバ接続収容ユニット１５と、右側光ファイバ接続収容ユニット１３および左側光ファイバ接続収容ユニット１５を略水平方向にスライドさせるスライド機構１７と、を備え、  右側列ユニット１４および左側列ユニット１６を二列に配置して、右側光ファイバ接続収容ユニット１３および左側光ファイバ接続収容ユニット１５の間で光ファイバコード２１で配線するようなキャビネットとした。【選択図】  図５
0003107704.tif 000002
【実用新案登録請求の範囲】
【請求項１】
局内側および局外側双方からケース内に引き込まれる光ファイバケーブルより光ファイバコードをそれぞれ引き出し、両者間を配線用の光ファイバコードで配線接続するキャビネットにおいて、
光ファイバケーブルから引き出した光ファイバコードを配線接続して収容する光ファイバ接続収容トレイを多数収納した光ファイバ接続収容ユニットと、
光ファイバ接続収容ユニットを略水平方向にスライドさせるスライド機構と、
を備え、
上下方向に光ファイバ接続収容ユニットを多段に配置して一列の列ユニットを形成し、この列ユニットを左右方向に二列配置することを特徴とするキャビネット。
【請求項２】
請求項１記載のキャビネットにおいて、
光ファイバ接続収容ユニットとケース内側面とに挟まれて左右両側に形成される空間には局内側および局外側双方から引き込まれる光ファイバケーブルを配置し、また、左右両側の光ファイバ接続収容ユニット間に形成される空間では光ファイバコードを配置するものであって、
光ファイバ接続収容ユニットへの光ファイバケーブルの配線作業時に光ファイバ接続収容ユニットを中央側へスライドさせて作業空間を形成し、また、光ファイバ接続収容ユニットへの光ファイバコードの配線作業時に光ファイバ接続収容ユニットをケース側面側へスライドさせて作業空間を形成することを特徴とするキャビネット。
【請求項３】
請求項１または請求項２記載のキャビネットにおいて、
ケースの左右両側の内側面に多段に形成され、光ファイバケーブルをケース内に固定する光ファイバケーブル把持具を備えることを特徴とするキャビネット。
【請求項４】
請求項３記載のキャビネットにおいて、
光ファイバケーブル把持具は、
ケース内側面に固定され、リップ溝を有するガイドレールと、
ガイドレールに沿って摺動する摺動部と、
摺動部が設けられた本体部と、
本体部に設けられたケーブル把持部と、
本体部に設けられたテンションメンバ把持部と、
リップ溝内に配置される固定子と、
固定子を回動させて固定するロックと、
を備えることを特徴とするキャビネット。
【考案の詳細な説明】
【技術分野】
【０００１】
本考案は、局内側および局外側双方から引き込まれる光ファイバケーブルを配線接続するためのキャビネットに関する。
【背景技術】
【０００２】
光ファイバケーブル配線用のキャビネットは、各種の従来技術が存在し、本出願人も、実用新案登録出願（実願平１１−４７４３号，考案の名称「光ファイバ接続収容トレイ及び光ファイバ接続収容ユニット」）を行っている。この実用新案登録出願は、実用新案登録第３０６５２９５号として登録されている。
【０００３】
この従来技術について、図を参照しつつ説明する。図２０は、キャビネットの外観図である。このキャビネットには、光ファイバ接続収容トレイを多数収納した光ファイバ接続収容ユニットが搭載されている。
ケース１の底面・平面・左右両側面には導入口２が設けられており、所望の導入口２を通じて局外側から光ファイバケーブル３が、また、局内側から光ファイバコード４が導入される。本実施形態では向かって左側の底面に開けられた導入口２から光ファイバケーブル３が導入され、また、向かって右側の底面に開けられた導入口２から光ファイバコード４が導入されるものとする。
【０００４】
図２１は、キャビネットの内観図であり、図２１（ａ）がキャビネット扉を取り去った内観図、図２１（ｂ）がＡ−Ａ線断面図である。ケース１の中では、同一形状の光ファイバ接続収容ユニット５が多段（図２１では１０段である。）に積層された状態で収納されている。個々の光ファイバ接続収容ユニット５にはさらに多数の光ファイバ接続収容トレイが多段に積層されている。
ケース１の内側部では、光ファイバケーブル３および光ファイバコード４を収容固定するための図示しないケーブル固定用レールが設けられており、複数本の光ファイバケーブル３や光ファイバコード４を整頓して収容できる。
【０００５】
アールガイド６は光ファイバケーブル３や光ファイバコード４を配線するための円もしくは半円形状のガイドであり、アールガイド６の円もしくは半円部に光ファイバケーブル３や光ファイバコード４を沿わせて折り曲げを少なくする。このようにして配線された光ファイバケーブル３と光ファイバコード４は、これら光ファイバ接続収容ユニット５へ延線される。
【０００６】
このような構成により、配線作業の簡単化・低コスト化・配線の高密度化・光ファイバ配線盤の小型化を共に実現し、キャビネットの使い勝手を向上させている。
【考案の開示】
【考案が解決しようとする課題】
【０００７】
従来技術のキャビネットでは以下のような問題があった。
（１）キャビネットでは、図２１（ａ）でも示すように、光ファイバ接続収容ユニット５が上下方向に多段に重ねて一列に配置され、さらに、光ファイバ接続収容ユニット５の左右両側で空間が設けられている。これら左右の空間は、光ファイバケーブル３や光ファイバコード４の配置や配線作業を行えるように充分大きな空間とする必要がある。このような事情から従来技術のキャビネットでは、小型化が困難であった。
【０００８】
（２）キャビネットでは一方の側（図２１（ａ）では左側）に光ファイバケーブル３が、また、他方の側（図２１（ｂ）では右側）に光ファイバコード４が配置される構造である。一本の光ファイバケーブル３からは多数の光ファイバコード（例えば２０本）が引き出されるため、一本の光ファイバケーブル３に対し、光ファイバコード４は多数（例えば２０本）必要になり、光ファイバコード４の配置側は多数コードが配置されて、整理できないという問題があった。また、後の配線切り換え作業時に所望光ファイバコード４が発見できずに、作業に支障を来すおそれもあった。
【０００９】
本考案は上記した課題を解決するためになされたものであり、その目的は、小型構造であるにも拘らず、局内側および局外側双方から導入された光ファイバケーブルより引き出された光ファイバコードの配線作業・管理を容易に行えるようなキャビネットを提供することにある。
【課題を解決するための手段】
【００１０】
本考案の請求項１に係るキャビネットは、
局内側および局外側双方からケース内に引き込まれる光ファイバケーブルより光ファイバコードをそれぞれ引き出し、両者間を配線用の光ファイバコードで配線接続するキャビネットにおいて、
光ファイバケーブルから引き出した光ファイバコードを配線接続して収容する光ファイバ接続収容トレイを多数収納した光ファイバ接続収容ユニットと、
光ファイバ接続収容ユニットを略水平方向にスライドさせるスライド機構と、
を備え、
上下方向に光ファイバ接続収容ユニットを多段に配置して一列の列ユニットを形成し、この列ユニットを左右方向に二列配置することを特徴とする。
【００１１】
また、本考案の請求項２に係るキャビネットは、
請求項１記載のキャビネットにおいて、
光ファイバ接続収容ユニットとケース内側面とに挟まれて左右両側に形成される空間には局内側および局外側双方から引き込まれる光ファイバケーブルを配置し、また、左右両側の光ファイバ接続収容ユニット間に形成される空間では光ファイバコードを配置するものであって、
光ファイバ接続収容ユニットへの光ファイバケーブルの配線作業時に光ファイバ接続収容ユニットを中央側へスライドさせて作業空間を形成し、また、光ファイバ接続収容ユニットへの光ファイバコードの配線作業時に光ファイバ接続収容ユニットをケース側面側へスライドさせて作業空間を形成することを特徴とする。
【００１２】
また、本考案の請求項３に係るキャビネットは、
請求項１または請求項２記載のキャビネットにおいて、
ケースの左右両側の内側面に多段に形成され、光ファイバケーブルをケース内に固定する光ファイバケーブル把持具を備えることを特徴とする。
【００１３】
また、本考案の請求項４に係るキャビネットは、
請求項３記載のキャビネットにおいて、
光ファイバケーブル把持具は、
ケース内側面に固定され、リップ溝を有するガイドレールと、
ガイドレールに沿って摺動する摺動部と、
摺動部が設けられた本体部と、
本体部に設けられたケーブル把持部と、
本体部に設けられたテンションメンバ把持部と、
リップ溝内に配置される固定子と、
固定子を回動させて固定するロックと、
を備えることを特徴とする。
【考案の効果】
【００１４】
以上のような本考案によれば、小型構造であるにも拘らず、局内側および局外側双方から導入された光ファイバケーブルより引き出された光ファイバコードの配線作業・管理を容易に行えるようなキャビネットを提供することができる。
【考案を実施するための最良の形態】
【００１５】
以下、本考案を実施するための最良の形態のキャビネットについて図を参照しつつ説明する。図１は本形態のキャビネットの外観図であって、図１（ａ）は正面図、図１（ｂ）は左側面図、図１（ｃ）は平面図、図１（ｄ）は底面図である。
このキャビネット１０は、観音開き構造のケース１１内に各部が収容されている。ケース１１の底面・平面・左右両側面には導入口１２が設けられており、所望の導入口１２を通じて局外側および局内側の光ファイバケーブル２０が導入される（例えば図５参照）。
【００１６】
ケース１１の内部は図２，３に示すように配置される。図２はキャビネットの内観図であって、図２（ａ）は正面内観図、図２（ｂ）は右側面内観図、図２（ｃ）は平面内観図である。図３は扉を取り去ったキャビネットの斜視内観図である。
これら図２，図３でも示すように、ケース１１内には、右側光ファイバ接続収容ユニット１３を上下三段に配置した右側列ユニット１４と、左側光ファイバ接続収容ユニット１５を上下三段に配置した左側列ユニット１６と、が配置される。
このように上下方向に右側光ファイバ接続収容ユニット１３を多段に配置して一列の右側列ユニット１４を形成し、また同様に、上下方向に左側光ファイバ接続収容ユニット１５を多段に配置して一列の左側列ユニット１６を形成し、これら右側列ユニット１４，左側列ユニット１６を左右方向に二列配置する。
【００１７】
図４はキャビネットの左側列ユニットのみ示す内観図である。図５はキャビネット内の配線の説明図であり、図５（ａ）は内観正面図、図５（ｂ）はＢ−Ｂ線断面図である。
特に図５に示すように、下側の導入口１２を通じて局外側および局内側の光ファイバケーブル２０が導入され、右側光ファイバ接続収容ユニット１３では右側に、左側光ファイバ接続収容ユニット１５では左側に、配線されている。
また、右側列ユニット１４，左側列ユニット１６間の中央では光ファイバコード２１で配線を行うことなる。このようにケース１１外からの導入は多心の光ファイバケーブル２０により導入し、ケース１１内では光ファイバケーブル２０から引き出した光ファイバコードにより各光ファイバ接続収容トレイへ配線し、中央では左右の光ファイバ接続収容トレイ間を光ファイバコード２１で配線するようにしたため、配線が理解し易く配線を整理しやすいという利点がある。
【００１８】
続いて、右側光ファイバ接続収容ユニット１３および左側光ファイバ接続収容ユニット１５のスライド機能について図を参照しつつ説明する。図６はキャビネット内の配線の説明図であり、図６（ａ）は内観正面図、図６（ｂ）はＢ−Ｂ線断面図である。
右側光ファイバ接続収容ユニット１３および左側光ファイバ接続収容ユニット１５はおのおのでスライド機構１７を介してケース１１に取付けられている。スライド機構１７は、例えば、図４や図５（ｂ）で示すように、左側光ファイバ接続収容ユニット１５の奥側に取付けられるものであり、左側光ファイバ接続収容ユニット１５でも同じである。このスライド機構は光ファイバ接続収容ユニットをそのまま略水平方向にスライドさせる機能を有しており、例えば、右側光ファイバ接続収容ユニット１３は図５（ａ）の状態から図６（ａ）の矢印Ｃ方向へスライドする。また、図示しないが左側光ファイバ接続収容ユニット１５は図５（ａ）の状態から矢印Ｃの逆方向へスライドする。
【００１９】
スライド機構について図を参照しつつ説明する。図７はスライド機構の構成図であり、図７（ａ）は正面側斜視図、図７（ｂ）は背面側斜視図である。図８はストッパの構成図であり、図８（ａ）は正面側斜視図、図８（ｂ）は背面側斜視図である。図９はストッパの移動を説明する説明図であり、図９（ａ）は正面側斜視図、図９（ｂ）は背面側斜視図である。スライド機構１７は、図７（ａ），図７（ｂ）で示すように、スライドレール１７１、スライド背面板１７２、トレイユニット１７３、ストッパ１７４を備えている。上下二個のスライドレール１７１には、ケース１１に固定される固定部とレール方向に滑らかに移動可能になされた移動部がある。これら上下のスライドレール１７１の移動部にスライド背面板１７２が取付けられている。これにより、スライド背面板１７２は水平方向に移動する。このスライド背面板１７２にはトレイユニット１７３が多段に取付けられて光ファイバ接続収容ユニット（図７では左側光ファイバ接続収容ユニット１５）を構成する。
【００２０】
このスライド背面板１７２には図８で示すようなストッパ１７４が設けられる。ストッパ１７４は、ケース１１に固定されたストッパ支持部材１７４ａと、ストッパ支持部材１７４ａにより支持されるロッド１７４ｂと、通常はスライド背面板１７２の孔１７５（図７（ａ）参照），孔１７６（図９（ａ）参照）にロッド１７４ｂが入り込むように付勢する圧縮バネ１７４ｃと、圧縮バネ１７４ｃがロッド１７４ｂから抜けないようにする抜け止め１７４ｄを備える。例えば、図７の状態でロッド１７４ｂを引っ張って孔１７６（図９参照）から引き出すと、スライド背面板１７２は移動可能となる。そして図９の矢印ｄ方向に移動後に孔１７５（図７参照）にロッド１７４ｂを入れて固定すると、図９で示すような位置でスライド背面板１７２が停止する。
このようなスライド機構１７により光ファイバ接続収容ユニットをスライドさせることができる。
【００２１】
続いて、トレイユニットについて図を参照しつつ説明する。図１０はトレイユニットの斜視外観図である。図１１はトレイユニットの構成図で、図１１（ａ）は左側面図、図１１（ｂ）は正面図、図１１（ｃ）は右側面図である。図１２はトレイユニットの構成図で、図１２（ａ）は平面図、図１２（ｂ）は右側面図、図１２（ｃ）は底面図、図１２（ｄ）は背面図である。図１１，図１２により六面図を構成する。
図１０〜図１２で示すように、トレイユニット１７３は、光ファイバ接続収容トレイ１７３１、フレーム１７３２、クランプ１７３３を備えている。トレイユニット１７３では、多数の光ファイバ接続収容トレイ１７３１をフレーム１７３２に多段に配置できるようになされている。また、クランプ１７３３は光ファイバコードを挟んで配置できるようになされている。
【００２２】
続いて、光ファイバ接続収容トレイ１７３１について図を参照しつつ説明する。図１３はトレイユニットの斜視外観図である。図１４はトレイユニットの平面図である。
光ファイバ接続収容トレイ１７３１は、図１３，図１４で示すように、ジャンパーコード（光ファイバコード２０の具体例である一本の線である）１７３１ａ、心線収容部１７３１ｂ、融着スリーブ１７３１ｃ、コネクタ１７３１ｄ、アダプタ１７３１ｅ、コネクタ１７３１ｆ、クランプ１７３１ｇ、Ｒガイド１７３１ｈ、シリコンチューブ１７３１ｉ，光コード１７３１ｊ，ジャンパーコード１７３１ｋ、ガイド１７３１ｌを備えている。
【００２３】
一本のジャンパーコード１７３１ａの端部にはコネクタ１７３１ｆが設けられている。また、シリコンチューブ１７３１ｉから引き出された光コード１７３１ｊの端部には融着スリーブ１７３１ｃ内で光学的にジャンパーコード１７３１ｋと接続され、さらにこのジャンパーコード１７３１ｋの端部にはコネクタ１７３１ｄが設けられている。これらコネクタ１７３１ｄ，コネクタ１７３１ｆがアダプタ１７３１ｅにて突き合わせるように嵌め込まれたとき、光学的に接続されて通信可能となる。ジャンパーコード１７３１ａは、クランプ１７３１ｇにより固定され、Ｒガイド１７３１ｈにより所定曲率よりも小さくして緩やかなカーブが維持されつつ、ガイド１７３１ｌから外部へ引き出される。同様にシリコンチューブ１７３１ｉは図示しない光ファイバケーブル２０から引き出された多数の光コード１７３１ｊを束ねてまとめている。
【００２４】
このジャンパコード１７３１ａは隣の列にある多数の光ファイバ接続収容トレイの中の何れかに引き込まれる。この光ファイバ接続収容トレイは左右対称に形成されている以外は同じ構成を有しており、何れかの回線に接続される。このように、両端にコネクタが形成されたジャンパーコードをそれぞれアダプタに接続する構成であるため、接続が容易であり、また、配線の整理・整頓も図れる。
【００２５】
またシリコンチューブ１７３１ｉの他端では挿通されている多数の光コード１７３１ｊが光ファイバケーブル２０へ引き込まれる。この光ファイバケーブル２０は光ファイバケーブル把持具によりケース内に固定される。光ファイバケーブル把持具について図を参照しつつ説明する。図１５は固定時における光ファイバケーブル把持具の斜視外観図である。図１６は光ファイバケーブル把持具の六面図である。図１７はテンションメンバ把持部の構成図であり、図１７（ａ）は表側斜視図、図１７（ｂ）は裏側斜視図である。図１８はロック解除途中の光ファイバケーブル把持具の斜視外観図である。図１９は移動可能時の光ファイバケーブル把持具の斜視外観図である。光ファイバケーブル把持具１８は、図１５で示すように、光ファイバケーブル２０を把持する。この光ファイバケーブル把持具１８は、図示しないがケース１１の左右両側の内側面に多段に設けられる。
【００２６】
光ファイバケーブル把持具１８は、図１５〜図１７で示すように、ガイドレール１８１と、摺動部１８２と、本体部１８３と、ケーブル把持部１８４と、テンションメンバ把持部１８５と、固定子１８６と、ロック１８７と、圧縮バネ１８８と、を備える。
ガイドレール１８１は、リップ溝１８１ａが形成されている。このガイドレール１８１はケース１１の内側面に固定される。
摺動部１８２はガイドレール１８１を上下から挟み込んで位置決めしつつ摺動するように機能する。この摺動部１８２は本体部１８３に形成されている。
ケーブル把持部１８４は本体部１８３に形成されて光ファイバケーブル２０を取付ける。このケーブル把持部１８４は、例えば、図１５で示すように結束バンドなどを用いても良い。
【００２７】
テンションメンバ把持部１８５は本体部１８３に形成されて光ファイバケーブル２０内部から引き出されたテンションメンバー２２を固定する。テンションメンバ把持部１８５は各種構成を採用できるが、例えば、図１７（ａ），（ｂ）で示すように、本体部１８３に設けられた突設片１８５ａ、テンションメンバー２２を固定する固定片１８５ｂ、ねじ１８５ｃを備え、突設片１８５ａと固定片１８５ｂとでテンションメンバー２２を挟持してねじ１８５ｃで締結する構成を採用している。
【００２８】
固定子１８６（図１６参照）は、略長方形であって一方に回転し易いようにＲ部が形成されており、図１５の側面拡大図で示すようにリップ溝１８１ａ内に配置されて、リップ溝１８１ａから抜けないようになされている。この固定子１８６がリップ溝１８１ａの開口部からの抜け止めとなり、また、摺動部１８２がスライド時の位置決めとなっているため、後述する手動時にガイドレール１８１に対して本体部１８３が抜けることなく摺動するようになされている。
【００２９】
ロック１８７は図１５，図１８，図１９で示すように。回動および起倒可能に構成されており、図１５の状態では固定子１８６が矢印Ｅ方向に押圧して側面拡大図のように固定子１８６とリップ溝１８１ａとが強固に当接して移動できないようになされている。また、ロック１８７も図１５で示すように固定片１８７ａが本体部１８３の上側に当接した状態で安定して移動しないようになっている。
【００３０】
このような本体部１８３を移動させるためには、図１８で示すように、ロック１８７を矢印Ｇ方向に倒すと要部拡大図のように固定子１８６がリップ溝１８１ａ内を移動して固定が解除され、さらに、図１９で示すように、ロック１８７を矢印Ｈ方向に回動させると、要部拡大図のように固定子１８６がリップ溝内１８１ａで完全に移動自在となって、本体部１８３が移動可能となる。このため、所望の位置で光ファイバケーブル２０を配置できる。
光ファイバケーブル把持部１８はこのようになる。
【００３１】
なお上記した光ファイバケーブル把持部１８では、各種の変形形態が可能であり、本形態では光ファイバケーブル２０を下側から導入する場合について説明したが、例えば、上側から導入することも可能であるため、その場合、図１５で示した光ファイバケーブル把持部１８も上下逆にして使用することとなる。そのような場合でも、ガイドレール１８１から取り外すことも容易であり、所望の据え付け姿勢を採用することができる。特に右側光ファイバ接続収容ユニット１３や左側光ファイバ接続収容ユニット１５を中央側に動かして作業空間を形成した後で光ファイバケーブルの把持作業が行えるため、取付けが極めて容易である。
【００３２】
以上のように本考案のキャビネットでは、右側光ファイバ接続収容ユニット１３や左側光ファイバ接続収容ユニット１５を移動させて、必要時に充分広い作業空間を確保できるため、配線作業が極めて容易である。
また、従来技術のように平行移動できない光ファイバ接続収容ユニットを二列に配置した場合、中央および両側に三個の空間が必要であるが、本発明では光ファイバ接続収容ユニットを平行移動させるため、一つの空間のみとすることができる。さらに、この一つの空間を充分に大きくして配線作業空間を大きくしたとしても全体的に小型化が図れる。
また、中央空間で両方にコネクタが形成されたジャンパーコードを用いて接続するため、配線管理も容易であり、後で配線変更作業・配線追加作業を行う必要が生じても混乱を起こすこともなく配線作業を完了できる。
【図面の簡単な説明】
【００３３】
【図１】本考案を実施するための最良の形態のキャビネットの外観図であって、図１（ａ）は正面図、図１（ｂ）は左側面図、図１（ｃ）は平面図、図１（ｄ）は底面図である。
【図２】キャビネットの内観図であって、図２（ａ）は正面内観図、図２（ｂ）は右側面内観図、図２（ｃ）は平面内観図である。
【図３】扉を取り去ったキャビネットの斜視内観図である。
【図４】キャビネットの左側列ユニットのみ示す内観図である。
【図５】キャビネット内の配線の説明図であり、図５（ａ）は内観正面図、図５（ｂ）はＢ−Ｂ線断面図である。
【図６】キャビネット内の配線の説明図であり、図６（ａ）は内観正面図、図６（ｂ）はＢ−Ｂ線断面図である。
【図７】スライド機構の構成図であり、図７（ａ）は正面側斜視図、図７（ｂ）は背面側斜視図である。
【図８】ストッパの構成図であり、図８（ａ）は正面側斜視図、図８（ｂ）は背面側斜視図である。
【図９】ストッパの移動を説明する説明図であり、図９（ａ）は正面側斜視図、図９（ｂ）は背面側斜視図である。
【図１０】トレイユニットの斜視外観図である。
【図１１】トレイユニットの構成図で、図１１（ａ）は左側面図、図１１（ｂ）は正面図、図１１（ｃ）は右側面図である。
【図１２】トレイユニットの構成図で、図１２（ａ）は平面図、図１２（ｂ）は右側面図、図１２（ｃ）は底面図、図１２（ｄ）は背面図である。
【図１３】トレイユニットの斜視外観図である。
【図１４】トレイユニットの平面図である。
【図１５】固定時における光ファイバケーブル把持具の斜視外観図である。
【図１６】光ファイバケーブル把持具の六面図である。
【図１７】テンションメンバ把持部の構成図であり、図１７（ａ）は表側斜視図、図１７（ｂ）は裏側斜視図である。
【図１８】ロック解除途中の光ファイバケーブル把持具の斜視外観図である。
【図１９】移動可能時の光ファイバケーブル把持具の斜視外観図である。
【図２０】キャビネットの外観図である。
【図２１】キャビネットの内観図であり、図２１（ａ）がキャビネット扉を取り去った内観図、図２１（ｂ）がＡ−Ａ線断面図である。
【符号の説明】
【００３４】
１０：キャビネット
１１：ケース
１２：導入口
１３：右側光ファイバ接続収容ユニット
１４：右側列ユニット
１５：左側光ファイバ接続収容ユニット
１６：左側列ユニット
１７：スライド機構
１７１：スライドレール
１７２：スライド背面板
１７３：トレイユニット
１７３１：光ファイバ接続収容トレイ
１７３１ａ：ジャンパーコード
１７３１ｂ：心線収容部
１７３１ｃ：融着スリーブ
１７３１ｄ：コネクタ
１７３１ｅ：アダプタ
１７３１ｆ：コネクタ
１７３１ｇ：クランプ
１７３１ｈ：Ｒガイド
１７３１ｉ：シリコンチューブ
１７３１ｊ：光コード
１７３１ｋ：ジャンパーコード
１７３１ｌ：ガイド
１７３２：フレーム
１７３３：クランプ
１７４：ストッパ
１７４ａ：ストッパ支持部材
１７４ｂ：ロッド
１７４ｃ：圧縮バネ
１７４ｄ：抜け止め
１７５：孔
１７６：孔
１８：光ファイバケーブル把持部
１８１：ガイドレール
１８１ａ：リップ溝
１８２：摺動部
１８３：本体部
１８４：ケーブル把持部
１８５：テンションメンバ把持部
１８５ａ：突設片
１８５ｂ：固定片
１８５ｃ：ねじ
１８６：固定子
１８７：ロック
１８７ａ：固定片
１８８：圧縮バネ
２０：光ファイバケーブル
２１：光ファイバコード
２２：テンションメンバー
【図１】
0003107704.tif 000003
【図２】
0003107704.tif 000004
【図３】
0003107704.tif 000005
【図４】
0003107704.tif 000006
【図５】
0003107704.tif 000007
【図６】
0003107704.tif 000008
【図７】
0003107704.tif 000009
【図８】
0003107704.tif 000010
【図９】
0003107704.tif 000011
【図１０】
0003107704.tif 000012
【図１１】
0003107704.tif 000013
【図１２】
0003107704.tif 000014
【図１３】
0003107704.tif 000015
【図１４】
0003107704.tif 000016
【図１５】
0003107704.tif 000017
【図１６】
0003107704.tif 000018
【図１７】
0003107704.tif 000019
【図１８】
0003107704.tif 000020
【図１９】
0003107704.tif 000021
【図２０】
0003107704.tif 000022
【図２１】
0003107704.tif 000023